(57)【要約】【課題】  不正な開封を確認することができる２パーツ式のピルファープルーフキャップにおいて、ねじ蓋２、バンド体３及び容器の分別を簡単に行えるようにする。【解決手段】  ピルファープルーフキャップ１をねじ蓋２とバンド体３とで別体に構成する。バンド体３は、ねじ蓋２の下部に取外し可能に取付けられた取付け部１１と、瓶口ＡのフランジＡ１に対する係止部１２とを備える。取付け部１１と係止部１２とは、スコア１３と細幅の破断不能部１４とを介して一体に連接する。係止部１２に形成された開封用タブ１７を半径外向きに引き起こして円周方向に沿って引っ張ると、スコア１３が破断してねじ蓋２のねじ戻しが可能になる。ねじ蓋２を瓶口Ａから取り外すと、係止部１２がねじ蓋２から垂れ下がったまま開封される。係止部１２を指で摘んで引っ張ると、係止部１２と繋がっている取付け部１１が弾性変形してねじ蓋２から引き抜かれる。【選択図】  図７
2005138876.tif 000002
【特許請求の範囲】
【請求項１】
外周面にねじ山が形成された瓶口にねじ込まれる下向き開口状のねじ蓋と、合成樹脂製で環状のバンド体とを別体で備えており、
前記バンド体は、前記ねじ蓋の下部に取外し可能に取り付けられた取付け部と、前記瓶口に形成されたフランジに下方から係合する係止部とを有しており、
これら取付け部と係止部とは、円周方向に沿って連続的または飛び飛びに形成された開封用の脆弱部を介して一体に連接されており、
更に、前記取付け部には、当該取付け部を開蓋後のねじ蓋から取り外せるように人が指で摘んで引っ張ることのできる取外し用摘み手段が一体に連接されている、
ピルファープルーフキャップ。
【請求項２】
前記脆弱部は円周方向の一部を除いて形成されており、前記バンド体の取付け部と係止部とは、前記脆弱部を除く箇所に形成された細幅の破断不能部によっても繋がっており、
前記係止部に、開蓋後に当該係止部を非ループ状と成す分断許容部を設けることにより、前記係止部を前記取外し用摘み手段に兼用している、
請求項１に記載したピルファープルーフキャップ。
【請求項３】
外周面にねじ山が形成された瓶口にねじ込まれる下向き開口状のねじ蓋と、合成樹脂製で環状のバンド体とを別体で備えており、
前記バンド体は、前記ねじ蓋の下部に取外し可能に取り付けられる取付け部と、前記瓶口に形成されたフランジに下方から係合する係止部とを有しており、
これら取付け部と係止部とは、当該係止部に形成された開封用タブを指で摘んで引っ張ることにより引き裂かれる円周方向長手のスコアを介して一体に連接されている、
ピルファープルーフキャップ。
【発明の詳細な説明】
【技術分野】
【０００１】
本発明は、不正な開封を確認することができるピルファープルーフキャップ（不正開封防止機能付きキャップ）の改良に関するものである。
【背景技術】
【０００２】
一般に、ピルファープルーフキャップ（以下、キャップという）は、ねじ式の瓶口（容器の口部）にねじ込まれる下向き開口状のねじ蓋と、このねじ蓋の下部に配置されるタンパーエビデントバンド（以下、ＴＥバンドという）とを備えており、ＴＥバンドとねじ蓋とをブリッジ群を介して繋ぐことにより、ねじ蓋をねじ戻すとブリッジ群が千切れて開封されるブリッジタイプと、ＴＥバンドとねじ蓋とを円周方向に延びる薄肉状スコアで繋ぐことにより、当該薄肉状スコアを引き裂いて開封するスコアタイプとがある。
【０００３】
そして、例えば特許文献１及び２には、ブリッジタイプにおいて、別体に製造したねじ蓋とＴＥバンドとを弾性に抗しての変形で嵌合させた２パーツ式のものが開示されている。
【０００４】
これらの例では、ＴＥバンドは、前記ねじ蓋の下部に嵌合する取付け部と、瓶口に形成されたフランジに下方から係合する係止部とを有している。これら取付け部と係止部とは、円周方向に沿って適宜間隔で形成された開封用のブリッジ群を介して一体的に連接されている。
【０００５】
そして、ねじ蓋を瓶口からねじ戻すと、ＴＥバンドの係止部が上向き抜け不能な状態でねじ蓋が上昇するため、ブリッジ群が千切れ、ＴＥバンドが完全に上下に分離する。これにより、ねじ蓋はＴＥバンドの取付け部とともに瓶口から取り外される。ＴＥバンドの係止部は瓶口に残る。
【０００６】
２パーツ式にすると、ねじ蓋とＴＥバンドとを異なる素材で製造できる。従って、例えばねじ蓋をＰＰ樹脂（ポリプロピレン）製としＴＥバンドを軟質なＰＥ樹脂（ポリエチレン）製とすれば、ねじ蓋の高強度化及び美感の向上を図れる一方、ブリッジ群は引き裂きやすくなる。更に、ねじ蓋とＴＥバンドとが別体であるから、ねじ蓋とＴＥバンドとの色彩を変えたりＴＥバンドに熱転写等で色彩を付与したりすれば、高級感やアクセント効果で、キャップ自身はもとより容器全体の美感が著しく向上するという利点がある。
【０００７】
他方、スコアタイプのキャップは、封止状態の保持機能がブリッジタイプのものよりも優れているといえるが、従来のスコアタイプのキャップにおいては、全体が軟質なＰＥ樹脂で一体成形されている。すなわち、従来のスコアタイプのキャップは１パーツ式のものである。
【特許文献１】実公平４−９３３０号公報
【特許文献２】実公平４−３０１１３号公報
【発明の開示】
【発明が解決しようとする課題】
【０００８】
ところで、ブリッジタイプの２パーツ式キャップの場合、例えばねじ蓋をＰＰ樹脂製としＴＥバンドをＰＥ樹脂製とすると、リサイクルに際しては、ねじ蓋及びＴＥバンドの両者をそれぞれ分離する必要がある。しかし、前記特許文献１及び２の構成では、開封後のねじ蓋内にＴＥバンドの取付け部が嵌り込んだ状態で残るため、前記取付け部をねじ蓋から取り外すにはカッタ等の道具を使わなければならず、分業作業に著しく手間がかかるという問題があった。
【０００９】
また、ＴＥバンドの素材はＰＰ樹脂が多いのに対して、容器の素材はＰＰ樹脂やＰＥＴ樹脂（ポリエチレンテレフタレート）が多い。そうすると、リサイクルの際には、ねじ蓋、ＴＥバンド及び容器の三者をそれぞれ分離する必要がある。しかし、前記特許文献１及び２の構成では、ねじ蓋の内部だけではなく、瓶口にもＴＥバンドの一部（係止部）が残るため、リサイクルの際には、ＴＥバンドの取付け部をねじ蓋から取り外す作業とＴＥバンドの係止部を瓶口から取り外す作業とが必要となり、二重の手間がかかって面倒であるという問題があった。
【００１０】
そこで、本発明は、ねじ蓋とＴＥバンド、更にはこれらと容器との分別を簡単に行える２パーツ式キャップを提供することを第１の技術的課題とするものである。
【００１１】
他方、ブリッジタイプの２パーツ式キャップの場合、容器を密封する際には、キャップを瓶口にねじ込む途中の段階で、ＴＥバンドの係止部が弾性変形しながら瓶口のフランジを乗り越えることになる。しかし、ＴＥバンドの取付け部と係止部とを繋ぐ各ブリッジの断面積は小さいため、ねじ込み時の瓶口との間の抵抗で各ブリッジが千切れてしまうおそれがあった。
【００１２】
これに対して、スコアタイプのキャップ（１パーツ式）では、円周方向に長く延びるスコアの断面積がブリッジと比較して格段に大きいので、ねじ込み時の抵抗で破断することはないし、封止力も強いという利点はある。しかし、従来はキャップ全体が一体成形されているため、仮に軟質なＰＥ樹脂製とすると美感の点で見劣りして商品価値が低下する一方、硬質なＰＰ樹脂製とすると硬過ぎてブリッジを千切りにくいという、美観及び強度と開封の容易性とが両立しがたい問題があった。換言すると、従来のスコアタイプのキャップでは、前述のような２パーツ式キャップの利点を享受できないのであった。
【００１３】
そこで、本発明は、封止機能と美感とに優れかつ開封も容易なスコアタイプの２パーツ式キャップを提供することを第２の技術的課題とするものである。
【課題を解決するための手段】
【００１４】
この技術的課題を達成するため、請求項１の発明に係るピルファープルーフキャップは、外周面にねじ山が形成された瓶口にねじ込まれる下向き開口状のねじ蓋と、合成樹脂製で環状のバンド体とを別体で備えており、前記バンド体は、前記ねじ蓋の下部に取外し可能に取り付けられた取付け部と、前記瓶口に形成されたフランジに下方から係合する係止部とを有しており、これら取付け部と係止部とは、円周方向に沿って連続的または飛び飛びに形成された開封用の脆弱部を介して一体に連接されており、更に、前記取付け部には、当該取付け部を開蓋後のねじ蓋から取り外せるように人が指で摘んで引っ張ることのできる取外し用摘み手段が一体に連接されているというものである。
【００１５】
請求項２の発明は、請求項１に記載したピルファープルーフキャップにおいて、前記脆弱部は円周方向の一部を除いて形成されており、前記バンド体の取付け部と係止部とは、前記脆弱部を除く箇所に形成された細幅の破断不能部によっても繋がっており、前記係止部に、開蓋後に当該係止部を非ループ状と成す分断許容部を設けることにより、前記係止部を前記取外し用摘み手段に兼用しているというものである。
【００１６】
請求項３の発明に係るピルファープルーフキャップは、外周面にねじ山が形成された瓶口にねじ込まれる下向き開口状のねじ蓋と、合成樹脂製で環状のバンド体とを別体で備えており、前記バンド体は、前記ねじ蓋の下部に取外し可能に取り付けられる取付け部と、前記瓶口に形成されたフランジに下方から係合する係止部とを有しており、これら取付け部と係止部とは、当該係止部に形成された開封用タブを指で摘んで引っ張ることにより引き裂かれる円周方向長手のスコアを介して一体に連接されているというものである。
【発明の効果】
【００１７】
請求項１のように構成すると、開蓋後に、ねじ蓋内に残ったバンド体の取付け部は、この取付け部に一体的に連接された取外し用摘み手段を指で摘んで引っ張ることにより、合成樹脂製である取付け部は弾性変形して前記ねじ蓋から取り外される。
【００１８】
従って、前記ねじ蓋と前記バンド体とが各々異なる素材製であっても、カッタ等の道具を使うことなく簡単に、前記両者を分別することができる。すなわち２パーツ式の利点を保持したものでありながら、キャップのリサイクル性が向上するという効果を奏する。
【００１９】
請求項２のように構成すると、バンド体の係止部を取外し用摘み手段に兼用しているので、バンド体に別途取外し用摘み手段を設ける必要はなく、キャップ全体の構造が簡単になる。これにより、キャップ製造用の金型の構造を簡単化するすることができ、製造コストの抑制に寄与できるという効果を奏する。
【００２０】
また、バンド体の係止部は長さが長いので、人はしっかりと指で摘んで強く引っ張ることができる。このため、非力な女性であってもバンド体全体をねじ蓋から簡単に取り外すことができる。すなわち、分別作業を極めて簡単に行うことができる。
【００２１】
更に、バンド体の係止部は開封によって非ループ状になるため、開蓋によってバンド体の全体が瓶口から自動的に離脱することになり、このため、容器（瓶）とバンド体との分別も何らの手間をかけることなく行える。
【００２２】
請求項３のように構成すると、スコアタイプのピルファープルーフキャップでありながら、ねじ蓋とバンド体とを異なる素材で製造することができ、このため、例えばねじ蓋は美観及び強度に優れたポリプロピレン製としてバンド体は引き裂き容易なポリエチレン製とするということができる。このため、スコアタイプの利点と２パーツ式の利点とを享受できる。
【００２３】
すなわち、ねじ込みの確実性とピルファープルーフ機能の確実性とを担保しつつ、開封の容易性を実現できると共に、ねじ蓋を美観や強度に優れた形態とすることができるのであり、その結果、商品価値の高いピルファープルーフキャップを提供できる。
【発明を実施するための最良の形態】
【００２４】
次に、本発明を具体化した実施形態を図面（図１〜図１７）に基づいて説明する。
【００２５】
図１〜図７では第１実施例を示している。図１はピルファープルーフキャップを瓶口に嵌着した状態の一部破断正面図、図２はねじ蓋とバンド体とを分離した状態の正面図、図３はねじ蓋とバンド体とを分離した状態の縦断面図、図４は図２のＩＶ−ＩＶ視平面図、図５は図４のＶ−Ｖ視断面図、図６は閉栓状態での要部拡大断面図、図７はピルファープルーフキャップを開封する態様の説明図である。
【００２６】
図１に示すように、瓶口Ａは外周面にねじ山Ａ３が形成された雄ねじ部Ａ２を備えている。雄ねじ部Ａ２の下方には半径外向きに突出するフランジＡ１が形成されている。
【００２７】
ピルファープルーフキャップ１は、瓶口Ａにねじ込まれる下向き開口状のねじ蓋２と、このねじ蓋２の下端に取り付けられるバンド体３とを備えている。第１実施例では、ねじ蓋２とバンド体３とはＰＰ樹脂やＰＥ樹脂等の合成樹脂を素材とした射出成形により別体に製造されている。
【００２８】
図１、図３及び図６に示すように、ねじ蓋２の下端内周面には内向き環状突起４が全周にわたって形成されている。ねじ蓋２の内部頂面には、瓶口Ａの頂面に重なるフランジ６ａを有する略椀型の中栓５が装着されている。中栓５の周壁６は、開口側では大径で底面側では小径の断面階段状（径違い状）に形成されている。周壁６における大径部の適宜箇所には通気穴８が貫通形成されている。中栓５の凹所７内には除湿用の乾燥剤Ｂが収納されている。従って、中栓５はパッキン及び乾燥剤Ｂ用の収納部としての役目を有している。
【００２９】
ところで、従来の乾燥剤収納用の中栓５は底壁に通気穴を形成していたが、これでは例えば何らかの衝撃等で乾燥剤Ｂが細かく砕けてしまうと、破片が容器内にこぼれ落ちやすい。これに対して、第１実施例のように中栓５の周壁６に通気穴８を形成すると、乾燥剤Ｂが細かく砕けたりしても、破片が容器内にこぼれ落ちるおそれを著しく低減できる。
【００３０】
図４に示すように、全体として平面視環状に形成されたバンド体３は、ねじ蓋２の内向き環状突起４に係合する外向き環状突起１５を有する取付け部１１と、瓶口ＡのフランジＡ１の下面に引っ掛かる係止爪１６を有する係止部１２とを備えている。
【００３１】
これら取付け部１１と係止部１２とは、円周方向に沿って非ループ状に形成された薄肉状のスコア１３と当該スコア１３を除く箇所に形成された細幅の破断不能部１４とで一体的に接続されている。スコア１３は請求項に記載した脆弱部の一例である。なお、スコア１３及び破断不能部１４の円周方向の幅寸法は、これらの機能を損なわない範囲で任意の値に設定することができる。
【００３２】
図２及び図４に示すように、外向き環状突起１５は、破断不能部１４を除く範囲にわたって延びるように、取付け部１１の外周面に形成されている。第１実施例では、主としてバンド体３の弾性変形を利用して両方の環状突起４，１５とを嵌め合わせることにより、バンド体３がねじ蓋２に取り付けられている。両方の環状突起４，１５とを嵌合させた状態では、バンド体３の係止部１２はねじ蓋２の下方に露出するように設定されている。
【００３３】
両環状突起４，１５は、ねじ蓋２にバンド体３を取付ける係合手段の一例である。なお、いずれか一方の環状突起４，１５を環状溝に変更することも可能である。これら取付け用の突起や溝は、環状に限らず、断続的に形成してもよい。
【００３４】
図３、図４及び図６に示すように、係止爪１６は、係止部１２の内周面に円周方向に沿って適宜間隔で複数個形成されている（第１実施例では４つ）。なお、係止爪１６は、円周方向に沿って断続的に形成するだけでなく、環状に形成しても構わない。
【００３５】
バンド体３の係止部１２には、その外周面との間に若干の隙間を空けた状態で、平面視略Ｌ字状の開封用タブ１７が一体的に連接されている。この開封用タブ１７は人が指で簡単に摘むことのできる程度の長さに設定されている。係止部１２のうち開封用タブ１７の付け根に近い箇所には、開封用タブ１７を引っ張ってスコア１３を破断させるきっかけとなる断面Ｖ字型等の補助スコア１８（または抜き穴）が形成されている（図４及び図５参照）。補助スコア１８（または抜き穴）は請求項に記載した分断許容部に相当する。
【００３６】
第１実施例の構成において、ピルファープルーフキャップ１を瓶口Ａにねじ込むと、ねじ込みの途次において、バンド体３の係止部１２は、弾性変形しながらフランジＡ１を乗り越える。ねじ蓋２をねじ込み切ると、係止部１２の内周側の係止爪１６がフランジＡ１に下方から係合する（図１参照）。
【００３７】
この場合、バンド体３の取付け部１１と係止部１２とは、薄肉状のスコア１３と細幅の破断不能部１４とにより繋がっているので、ブリッジだけで繋げた場合と比べて、取付け部１１と係止部１２との連結部分の断面積が格段に大きい。これにより、ねじ込み時の抵抗に対する前記連結部分の剛性を確保することができ、ねじ込み不良を確実に防止することができる。また、バンド体３をＰＥ樹脂製とすることにより、係止部１２は弾性変形してフランジＡ１を容易に乗り越えることができる。このためキャッピングも確実に行われる。  
【００３８】
また、図１に示すように、封止状態では、バンド体３の取付け部１１は瓶口ＡのフランジＡ１とねじ蓋２の下端内周面との間に挟まれている（取付け部１１はフランジＡ１とねじ蓋２の下端内周面とに密着している）。従って、例えば商品の流通段階でスコア１３が不正に切り裂かれて係止部１２が引っ張られたとしても、ねじ蓋２をねじ戻さない限り、バンド体３は外れず、このためピルファープルーフ機能を維持・確保することができる。
【００３９】
ピルファープルーフキャップ１の開封手順は例えば以下のようになる。まず、バンド体３の係止部１２に形成された開封用タブ１７を半径外向きに引き起こす。そうすると、係止部１２のうち開封用タブ１７の付け根に続く補助スコア１８が切断される。引き続き開封用タブ１７を円周方向（図７（ａ）では反時計方向）に引き回して行くと、補助スコア１８に続くスコア１３が破断不能部１４に突き当るまで切り裂かれる。
【００４０】
この場合、バンド体３の取付け部１１と係止部１２の間には未切断の破断不能部１４が残っているものの、スコア１３が少なくとも１８０°を超える範囲にわたって切り裂かれているので、係止部１２の係止爪１６と瓶口ＡのフランジＡ１との係合は解除される。
【００４１】
従って、この状態でねじ蓋２をねじ戻すと、バンド体３の係止部１２が取付け部１１に繋がったまま（ねじ蓋２から垂れ下がったまま）開封される（図７（ｂ）参照）。
【００４２】
その後、ねじ蓋２から垂れ下がった係止部１２を指で摘んで引っ張ることにより、取付け部１１を弾性変形させてねじ蓋２から取り外すのである（図７（ｃ）参照）。第１実施例では、バンド体３の係止部１２が請求項に記載した取外し用摘み手段に相当する。
【００４３】
以上の開封手順から明らかなように、バンド体３の係止部１２は、ピルファープルーフキャップ１を開封するだけで瓶口Ａから取り除かれる。従って、係止部１２を瓶口Ａから取り除く作業は全く不要である。また、ねじ蓋２に嵌め込まれた取付け部１１は、開封後にねじ蓋２から垂れ下がった係止部１２を引っ張れば簡単に引き抜かれることになる。
【００４４】
従って、本発明の構成によると、リキャップの容易性や美感の向上等の２パーツ式の利点を保持したものでありながら、カッタ等の道具を使わなくても、ねじ蓋２、バンド体３及び容器を簡単に分別することができ、リサイクルに際して手間を軽減することができる。特に、ねじ蓋２をＰＰ樹脂製としバンド体３をＰＥ樹脂製とすると、ねじ蓋２の高強度化及び美感の向上とスコア１３の引き裂き容易性とを両立させつつ、リサイクル性の向上をも図ることができて好適である。
【００４５】
また、第１実施例では、開蓋後の係止部１６は長く垂れ下がっているので、開封後に取付け部１１を取り外す際には、係止部１６をしっかりと掴んで強く引っ張ることができる。これにより、バンド体３の取付け部１１をねじ蓋２から取り外し易い。しかも、バンド体３の破断不能部１４に外向き環状突起１５が形成されていないので、取付け部１１の取外しに際して、破断不能部１４が弾性変形しやすい。これにより、バンド体３の取付け部１１は軽い力でも簡単にねじ蓋２から外れるのである。
【００４６】
さらに、開蓋後にねじ蓋２から垂れ下がる係止部１６を取外し用摘み手段に兼用しているので、バンド体３に別途取外し用摘み手段を設ける必要はなく、ピルファープルーフキャップ全体の構造が簡単になる。これにより、キャップ製造用の金型の構造を簡単化するすることができ、製造コストの抑制に寄与できる。
【００４７】
図８〜図１１では第２実施例を示している。図８はねじ蓋とバンド体とを分離した状態の正面図、図９はねじ蓋とバンド体とを分離した状態の縦断面図、図１０（ａ）（ｂ）はピルファープルーフキャップを開封する態様の説明図、図１１は開封状態での要部縦断面図である。なお、以下に示す各例において構成及び作用が第１実施例と変わらないものは、第１実施例のものと同じ符号を付して、その詳細な説明を省略する。
【００４８】
第２実施例では、開封用タブがなく、バンド体３の取付け部１１と係止部１２とを円周方向に沿って適宜間隔で並ぶ複数のブリッジ２１を介して一体的に接続している点と、係止部１２のうち破断不能部１４との近傍箇所に分断溝２２を形成している点とにおいて、第１実施例と相違している。
【００４９】
従って、係止部１２は分断溝２２の箇所で非ループ状（平面視略Ｃ字状）に分断されている。ブリッジ２１群は請求項に記載した脆弱部の一例である。分断溝２２は請求項に記載した分断許容部の一例である。なお、分断溝２２の円周方向の幅寸法は、密封時に係止爪１６とフランジＡ１との係合が緩まない範囲で任意の値に設定することができる。
【００５０】
第２実施例の構成において、バンド体３の取付け部１１と係止部１２とは、ブリッジ２１群だけでなく細幅の破断不能部１４によっても繋がっているので、ブリッジだけで繋げた場合と比べて、取付け部１１と係止部１２との連結部分の断面積は十分に大きい。従って、第１実施例と同様に、ねじ込み時の抵抗に対する前記連結部分の剛性を確保することができ、ねじ込み不良を確実に防止することができる。
【００５１】
図１０（ａ）に示すねじ蓋２をねじ戻すと、バンド体３が上向き抜け不能な状態、すなわち、係止部１２の係止爪１６が瓶口ＡのフランジＡ１に下方から引っ掛かった状態でねじ蓋２だけが上昇するため、各ブリッジ２１が引き千切られる（図１１参照）。
【００５２】
そうすると、バンド体３の係止部１２は分断溝２２の箇所で非ループ状（平面視略Ｃ字状）に分断されているので、係止部１２の係止爪１６と瓶口ＡのフランジＡ１の下面との係合は緩むことになる。従って、さらにねじ蓋２をねじ戻すことにより、バンド体３の係止部１２が取付け部１１に繋がったまま（ねじ蓋２から垂れ下がったまま）開封される（図１０（ｂ）参照）。
【００５３】
その後、ねじ蓋２から垂れ下がった係止部１２を指で摘んで引っ張ることにより、取付け部１１を弾性変形させてねじ蓋２から取り外すのである（図７（ｃ）参照）。第２実施例の場合も、係止部１２が請求項に記載した取外し用摘み手段に相当する。
【００５４】
従って、第２実施例の場合も、第１実施例と同様に、リキャップの容易性や美感の向上等の２パーツ式の利点を保持したものでありながら、カッタ等の道具を使わなくても、ねじ蓋２、バンド体３及び容器を簡単に分別することができ、リサイクルに際して手間を軽減することができる。
【００５５】
図１２では第２実施例におけるバンド体の変形例を示している。図１２のうち（ａ）に示す変形例では、バンド体３の係止部１２のうち分断溝２２の上下中途高さ位置に補助ブリッジ２３が形成されている。（ｂ）に示す変形例では、バンド体３の係止部１２のうち破断不能部１４との近傍箇所に、分断溝２２に代えて下向きＶ字状のスリット２４が形成されている。（ｃ）に示す変形例では、バンド体３の係止部１２のうち破断不能部１４との近傍箇所に、上縁から下向きに延びる第１スリット２５と下縁から上向きに延びる第２スリット２６とが隣接するように形成されている。これら各スリット２４〜２６も請求項に記載した分断許容部に含まれるものである。
【００５６】
（ａ）〜（ｃ）の変形例においては、ねじ蓋２をねじ戻すと、補助ブリッジ２３、Ｖ字状スリット２４の上端連結部及び両スリット２５，２６の箇所に軸方向のせん断応力が集中して、バンド体３の係止部１２が非ループ状に分断される。その後は第２実施例と同様の手順となる。これらから容易に推測されるように、バンド体３の係止部１２を分断する構成としては様々なものを採用することができる。
【００５７】
図１３では第３実施例を示している。図１３はバンド体の正面図である。
【００５８】
第３実施例では、バンド体３の係止部１２に、これを非ループ状に分断する分断溝３２が形成されている一方、バンド体３の取付け部１１には、分断溝３２の箇所に向かって突出する摘み片３１が一体的に連接されている。摘み片３１の外表面にはローレット３３が形成されている。また、バンド体３の係止部１２のうち分断溝３２を挟んだいずれか一方のコーナ部の外表面にもローレット３４が形成されている。摘み片３１は請求項に記載した取外し用摘み手段の一例である。なお、分断溝３２の円周方向の幅寸法は、密封時に係止爪１６とフランジＡ１との係合が緩まない範囲で任意の値に設定することができる。
【００５９】
第３実施例の構成において、バンド体３の取付け部１１と係止部１２とは、非ループ状で薄肉のスコア１３で繋がっているので、ブリッジだけで繋げた場合と比べて、取付け部１１と係止部１２との連結部分の断面積は十分に大きい。従って、この場合もねじ込み不良の抑制という第１実施例と同様の作用効果が得られる。
【００６０】
第３実施例での開封手順は、まず、バンド体３の係止部１２のうち分断溝３２を挟んだいずれか一方のコーナ部を半径外向きに引き起こして、前記コーナ部を円周方向に沿って引っ張ることにより、バンド体３の係止部１２をスコア１３の箇所で取付け部１１から切り離す。それから、この状態でねじ蓋２をねじ戻すことにより、ねじ蓋２がバンド体３の取付け部１１とともに瓶口Ａから取り外される。その後、ねじ蓋２の下方にはみ出した摘み片３１を指で摘んで引っ張ることにより、当該摘み片３１と繋がっている取付け部１１を弾性変形させてねじ蓋２から取り外すのである。
【００６１】
従って、第３実施例の場合も、第１実施例と同様に、リキャップの容易性や美感の向上等の２パーツ式の利点を保持したものでありながら、カッタ等の道具を使わなくても、ねじ蓋２、バンド体３及び容器を簡単に分別することができ、リサイクルに際して手間を軽減することができる。
【００６２】
また、係止部１２のコーナ部や摘み片３１の外表面に、ローレット３４，３３を形成しておくと、指との摩擦が大きくなるので、係止部１２のコーナ部や切や摘み片３１を強く摘んで引っ張ることができ、その結果、係止部１２を軽い力で簡単に引き裂いたり、取付け部１１をねじ蓋２から軽い力で軽快に引き抜いたりすることができる。
【００６３】
図１４では第４実施例を示している。図１４はバンド体の正面図である。
【００６４】
第４実施例では、係止部１２のコーナ部にローレットがなく、バンド体３の取付け部１１と係止部１２とを円周方向に沿って適宜間隔で並ぶ複数のブリッジ２１を介して一体的に接続している点において、第３実施例と相違している。その他の構成は第３実施例と同様である。
【００６５】
第４実施例の構成において、ねじ蓋２をねじ戻すと、バンド体３が上向き抜け不能な状態でねじ蓋２だけが上昇するため、各ブリッジ２１が引き千切られる。そうすると、バンド体３の係止部１２が非ループ状に分断されているので、当該係止部１２の係止爪１６と瓶口ＡのフランジＡ１の下面との係合が緩む。この状態でねじ蓋２をねじ戻すことにより、ねじ蓋２がバンド体３の取付け部１１とともに瓶口Ａから取り外される。その後、ねじ蓋２からはみ出した摘み片３１を指で摘んで引っ張ることにより、当該摘み片３１と繋がっているバンド体３の取付け部１１を弾性変形させてねじ蓋２から取り外すのである。
【００６６】
従って、第４実施例の場合も、第１実施例と同様に、リキャップの容易性や美感の向上等の２パーツ式の利点を保持したものでありながら、カッタ等の道具を使わなくても、ねじ蓋２、バンド体３及び容器を簡単に分別することができ、リサイクルに際して手間を軽減することができる。
【００６７】
図１５及び図１６では第５実施例を示している。図１５はねじ蓋とバンド体とを分離した状態の正面図、図１６はバンド体の下部を切り取った状態の一部破断正面図である。 
【００６８】
第５実施例では、連接部がなく、バンド体３の取付け部１１と係止部１２とを全周にわたって延びる環状スコア３３を介して一体的に接続している点において、第１実施例と相違している。この環状スコア３３は請求項に記載した脆弱部の一例である。
【００６９】
第５実施例の構成において、バンド体３の取付け部１１と係止部１２とは、薄肉の環状スコア３３で繋がっており、取付け部１１と係止部１２との連結部分の断面積は十分に大きいから、この場合も、ねじ込み不良の抑制という第１実施例と同様の作用効果が得られる。
【００７０】
第５実施例での開封手順は、まず、バンド体３の係止部１２に形成された開封用タブ１７を半径外向きに引き起こして、バンド体３の係止部１２のうち開封用タブ１７の付け根に続く補助スコア１８を切断したのち、開封用タブ１７を円周方向に沿って引っ張ることにより、バンド体３の係止部１２をスコア１３の箇所で取付け部１１から切り離す。それから、この状態でねじ蓋２をねじ戻すことにより、ねじ蓋２をバンド体３の取付け部１１とともに瓶口Ａから取り外すのである。なお、第５実施例では、取付け部１１と係止部１２とを完全に切り離す必要はない。
【００７１】
図１７では中栓５を製造する射出成形用金型装置の参考例を示している。金型装置は、中栓５の内面を成形する昇降動可能な内型４１（雄型）と、中栓５の外面を成形する外型４２（雌型）と、突き出し用のストリッパープレート４３を備えている。この例では、外型４２に樹脂注入用のゲート４４が設けられている一方、内型４１に突き出しピン４５が設けられている。外型４２の内周壁４６は、開口側では大径で底面側では小径の階段状に形成されている。内周壁４６における大径部の適宜箇所には、内向き突起４７が形成されている。
【００７２】
内型４１と外型４２とを嵌め合わせた状態で所定量の樹脂Ｃをキャビティに注入し、樹脂Ｃが固まった後、内型４１を後退させて突き出しピン４５を相対的に突出させることにより、１回の成形で略椀型の中栓５が製造される。中栓５の通気穴８は、内型４１の外周面と外型４２の内向き突起４７とを当接させて当該内向き突起４７で樹脂Ｃを遮断するといういわゆる食い切り法（または抜き違い法）により形成される。
【００７３】
なお、詳細は図示しないが、外型４２の内周壁を例えば下窄まりのテーパ状に形成し、この内周壁に内向き突起を形成した場合も、前述のような製法で、周壁に通気穴を有する中栓を一回の成形で製造することが可能である。
【００７４】
本発明は、図示の実施例以外にも様々な形態に具体化することができる。例えば、別体に製造したねじ蓋２とバンド体３とは、前述のようなフック式の係合に限らず、接着剤による接着や超音波での溶着等により連結する構成であってもよい。
【００７５】
また、脆弱部の形状は、スコア１３，３３やブリッジ２１に限らず、ミシン目状またはこれらの組合せ等の様々な形状を採用することができる。バンド体３の係止部１２には、その外周面との間に若干の隙間を空けた状態で開封用タブ１７を連接しているが、開封用タブ１７と係止部１２とは、その外周面が同一面をなすように構成しても構わない。開封用タブ１７も図示以外の様々な形状に具体化することができる。ねじ蓋を金属板製とすることも可能である。
【図面の簡単な説明】
【００７６】
【図１】第１実施例における閉栓状態の一部破断正面図である。
【図２】ねじ蓋とバンド体とを分離した状態の正面図である。
【図３】ねじ蓋とバンド体とを分離した状態の縦断面図である。
【図４】図２のＩＶ−ＩＶ視平面図である。
【図５】図４のＶ−Ｖ視断面図である。
【図６】閉栓状態での要部拡大断面図である。
【図７】ピルファープルーフキャップを開封する態様の説明図であり、（ａ）はキャップを瓶口にねじ込んだ状態の斜視図、（ｂ）はキャップを瓶口から取り外した状態の斜視図、（ｃ）は開封後にねじ蓋から取り外したバンド体の斜視図である。
【図８】第２実施例におけるねじ蓋とバンド体とを分離した状態の正面図である。
【図９】ねじ蓋とバンド体とを分離した状態の縦断面図である。
【図１０】ピルファープルーフキャップを開封する態様の説明図であり、（ａ）はキャップを瓶口にねじ込んだ状態の斜視図、（ｂ）はキャップを瓶口から取り外した状態の斜視図である。
【図１１】開封状態での要部縦断面図である。
【図１２】第２実施例におけるバンド体の下部の変形例を示す説明図である。
【図１３】第３実施例におけるバンド体の正面図である。
【図１４】第４実施例におけるバンド体の正面図である。
【図１５】第５実施例におけるねじ蓋とバンド体とを分離した状態の正面図である。
【図１６】バンド体の下部を切り取った状態の一部破断正面図である。
【図１７】参考例における射出成形用金型装置の一部を示す断面図である。
【符号の説明】
【００７７】
Ａ  瓶口
Ａ１  フランジ
Ｂ  乾燥剤
１  ピルファープルーフキャップ
２  ねじ蓋
３  バンド体
４  内向き環状突起
５  中栓
１１  取付け部
１２  係止部
１３，３３  スコア
１４  連接部
１５  外向き環状突起
１６  係止爪
１７  開封用タブ
２１  ブリッジ
２２，３２  分断溝
３１  摘み片
【図１】
2005138876.tif 000003
【図２】
2005138876.tif 000004
【図３】
2005138876.tif 000005
【図４】
2005138876.tif 000006
【図５】
2005138876.tif 000007
【図６】
2005138876.tif 000008
【図７】
2005138876.tif 000009
【図８】
2005138876.tif 000010
【図９】
2005138876.tif 000011
【図１０】
2005138876.tif 000012
【図１１】
2005138876.tif 000013
【図１２】
2005138876.tif 000014
【図１３】
2005138876.tif 000015
【図１４】
2005138876.tif 000016
【図１５】
2005138876.tif 000017
【図１６】
2005138876.tif 000018
【図１７】
2005138876.tif 000019